(57)【要約】【課題】開梱時または梱包時において、被梱包物を受け材に沿って容易に導くことができる梱包材を提供する。【解決手段】梱包材１は、複数のキャスタ６４付き被梱包物６０の底面６１の中央を支持する中央支持材４０と、被梱包物６０および中央支持材４０を少なくとも収容する収容筐体１０と、を備えている。収容筐体１０の側壁１１Ａの下部１１ｂは、側壁１１Ａの上部１１ａを回動させることにより上部１１ａを地面に接触させて側壁１１Ａの内面１１ｃが地面Ｆに対して傾斜するように、収容筐体１０の底部１２に枢支されている。側壁１１Ａの内面１１ｃの上部１１ａから下部１１ｂに沿った位置には、キャスタ６４を支持する一対の受け材５１，５１が並置されている。一対の受け材５１，５１の間には、受け材５１に沿ってキャスタ６４が移動するように被梱包物６０の底面６１を案内するためのガイド材５２が配置されている。【選択図】図１
2012171640.tif 000002
【特許請求の範囲】
【請求項１】
底面に複数のキャスタが取り付けられた被梱包物の前記底面の中央を支持する中央支持材と、前記被梱包物および中央支持材を少なくとも収容する収容筐体と、を少なくとも備え、前記キャスタを非接触状態にして前記被梱包物を梱包状態とする梱包材であって、
前記収容筐体の少なくとも１つの側壁の下部は、該側壁の上部を回動させることにより該上部を地面に接触させて前記側壁の内面が地面に対して傾斜するように、前記収容筐体の底部に枢支されており、
前記側壁の内面のうち前記上部から前記下部に沿った位置には、前記側壁の上部が地面に接触した状態で、前記複数のキャスタを支持するための一対の受け材が並置されており、
前記一対の受け材の間には、前記側壁の上部が地面に接触した状態で、該受け材に沿って前記キャスタが移動するように前記被梱包物の底面を案内するためのガイド材が配置されていることを特徴とする梱包材。
【請求項２】
前記ガイド材は、前記側壁の上部が地面に接触した状態で、少なくとも前記ガイド材の端部と、前記中央支持材とにより、前記被梱包物の底面を支持するようになっていることを特徴とする請求項１に記載の梱包材。
【請求項３】
前記受け材は、前記側壁の上部が地面に接触した状態で、前記ガイド材の端部と、前記中央支持材とにより、前記被梱包物の底面を支持した際に、前記キャスタに接触するようになっていることを特徴とする請求項２に記載の梱包材。
【請求項４】
前記ガイド材の端部と、前記側壁の上部および下部の少なくとも一方とが、一致していることを特徴とする請求項１〜３のいずれかに記載の梱包材。
【請求項５】
前記ガイド材は、前記梱包状態において、前記被梱包物の側面を保護するための緩衝材となっていることを特徴とする請求項１〜４のいずれかに記載の梱包材。
【請求項６】
前記中央支持材の支持面には、該支持面に対して前記被梱包物の底面をスライドさせるためのスライド材が配置されていることを特徴とする請求項１〜５のいずれかに記載の梱包材。
【請求項７】
前記ガイド材の上面には、該上面に対して前記被梱包物の底面をスライドさせるためのスライド材が配置されていることを特徴とする請求項１〜６のいずれかに記載の梱包材。
【請求項８】
前記梱包材は、前記被梱包物の下部側面を覆うことにより該下部側面を包装するための包装材を備えており、前記中央支持材は、前記ガイド材が配置された側壁側への移動が制限されるように、前記包装材に係止されていることを特徴とする請求項１〜７のいずれかに記載の梱包材。
【請求項９】
請求項１〜８のいずれかに記載の梱包材により前記被梱包物を梱包した梱包体。
【発明の詳細な説明】
【技術分野】
【０００１】
本発明は、被梱包物を梱包する梱包材に係り、特に、キャスタ付きの被梱包物を開梱するのに好適な梱包材に関する。
【背景技術】
【０００２】
従来から、大型でかつ重量のある製品には、その搬送を容易に行うために、製品の底面にキャスタが取り付けられている。このような製品を被梱包物として梱包する際には、梱包材は、被梱包物（製品）の荷重がキャスタに直接的に作用しないように、被梱包物の底面の中央を支持する中央支持材を用いて、その底面を支持する構造となっている（例えば、特許文献１参照）。
【０００３】
そして、被梱包物を梱包した梱包体をより簡単に開梱するためには、被梱包物の底面から、該底面に取り付けられたキャスタに、被梱包物の荷重をシフトさせて、キャスタの車輪を回転させながら被梱包物を移動させて、被梱包物を梱包材から取り出す。
【０００４】
ここで、被梱包物の取り出す際には、梱包材の内部から地面まで、キャスタの車輪を一方向に転がす必要がある。このような作業を円滑に行うために、例えば、被梱包物を収容する収容筐体の側壁の内側には、キャスタを受けるための一対の受け材が配置されている（例えば、特許文献２または３参照）。
【０００５】
このような技術によれば、収容筐体の側壁の内側に一対の受け材を設けることにより、側壁を地面に接触するように開いたときに、側壁の内面が傾斜面となる。この傾斜面に配置された一対の受け材が、キャスタを転がすための一対のスロープの役割を果たす。これにより、開梱時には、このスロープ（受け材）を利用してキャスタの車輪を地面まで転がして、梱包材から被梱包物を取り出すことができる。一方、再梱包時には、このスロープ（受け材）を利用してキャスタを梱包材の内部まで転がして、被梱包物をその内部に収容することができる。
【先行技術文献】
【特許文献】
【０００６】
【特許文献１】特開２００６−９６４０４号公報
【特許文献２】特開２００４−３５０８３号公報
【特許文献３】特開２００６−９６３５６号公報
【発明の概要】
【発明が解決しようとする課題】
【０００７】
しかしながら、特許文献２および３に示す梱包材を用いた場合、梱包材から被梱包物を取り出す際（開梱時）に、キャスタを介して被梱包物の荷重を受け材に受けさせるように、被梱包物のキャスタを受け材に誘導しなければならない。
【０００８】
一般的に、キャスタは、車輪と、車輪の中心を回転可能に支持する回転支持部と、車輪および支持部を回動可能に支持する回動支持部とから構成されているため、回動支持部によって車輪の向きは自在に変化する。したがって、被梱包物を移動させる際には、キャスタの車輪は所望の方向に向いているわけではなく、被梱包物のキャスタを一対の受け材に誘導することが簡単にはできないことがある。
【０００９】
特に、特許文献１の如く、梱包時に被梱包物の底面の中央を支持する中央支持材を設けた場合、梱包状態では、キャスタは非接触状態であるため、キャスタの車輪の向きが所望の向きに向いていることはほとんどなく、受け材へのキャスタの誘導はさらに難しくなる。
【００１０】
一方、被梱包物を梱包する際には、キャスタを受け材に誘導することは可能であるが、誘導後のキャスタの車輪を、受け材から脱輪することなく梱包材の内部に案内することは必ずしも容易であるとはいえない。
【００１１】
本発明は、このような点を鑑みてなされたものであり、その目的とするところは、開梱時または梱包時において、被梱包物を受け材に沿って容易に導くことができる梱包材を提供することにある。
【課題を解決するための手段】
【００１２】
前記課題を解決すべく、本発明に係る梱包材は、底面に複数のキャスタが取り付けられた被梱包物の前記底面の中央を支持する中央支持材と、前記被梱包物および中央支持材を少なくとも収容する収容筐体と、を少なくとも備え、前記キャスタを非接触状態にして前記被梱包物を梱包状態とする梱包材であって、前記収容筐体の少なくとも１つの側壁の下部は、該側壁の上部を回動させることにより該上部を地面に接触させて前記側壁の内面が地面に対して傾斜するように、前記収容筐体の底部に枢支されており、前記側壁の内面のうち前記上部から前記下部に沿った位置には、前記側壁の上部が地面に接触した状態で、前記複数のキャスタを支持するための一対の受け材が並置されており、前記一対の受け材の間には、前記側壁の上部が地面に接触した状態で、該受け材に沿って前記キャスタが移動するように前記被梱包物の底面を案内するためのガイド材が配置されていることを特徴とする。
【００１３】
本発明によれば、被梱包物を梱包した状態において、被梱包物の底面の中央は中央支持材の支持面で支持されているので、キャスタの車輪は非接触状態である。そして、開梱時には、収容筐体の側壁が開くように、該側面の上部を外側下方に回動させることにより、側壁の上部を地面に接触させて側壁の内面を地面に対して傾斜させる。
【００１４】
ここで、地面に対して側壁の内面が傾斜するように、例えば、収容筐体の底面外側にパレット等の基台が取り付けられていてもよく、収容筐体に収容した状態で、底面内部に基台が配置されていてもよい。さらには、前記側壁の内面が傾斜するように、開梱する前に、地面に対して高所の位置に予め梱包体を配置してもよい。
【００１５】
そして、側壁の上部が地面に接触した状態（すなわち、側壁が収容筐体の外側に開いた状態）で、側壁の内面が傾斜面となり、この傾斜面に配置された一対の受け材が、キャスタを転がすための一対のスロープの役割を果たす。
【００１６】
ここで、本発明では、収容筐体の内面に、被梱包物の底面を案内するためのガイド材を配置したので、被梱包物を取出し方向に移動したときに、被梱包物の底面は、中央支持材の支持面からスライドしてガイド材に案内される。これにより、開梱時に、被梱包物のキャスタが一対の受け材に移動するように、被梱包物を容易に誘導することができると共に、その後の移動中に、受け材からキャスタの車輪が脱輪することを防止することができる。
【００１７】
一方、梱包時には、このガイド材により、受け材に沿ってキャスタが移動するように被梱包物の底面が案内されるので、被梱包物のキャスタの車輪が脱輪することなくキャスタを受け材に受けさせて、被梱包物を収容筐体の内部に移動させることができる。
【００１８】
また、このようなガイド材は、被梱包物の底面を案内することにより、側壁の上部から下部に沿って配置された受け材に沿うように、キャスタを移動することができるのであれば、ガイド材は、被梱包物の底面と必ずしも接触したり、被梱包物の底面を支持したりする必要はない。しかしながら、より好ましい態様としては、前記ガイド材は、前記側壁の上部が地面に接触した状態で、少なくとも前記ガイド材の端部および前記中央支持材により、前記被梱包物の底面を支持するようになっている。
【００１９】
この態様によれば、被梱包物を取出し方向に移動した際に、被梱包物の荷重を中央支持材からガイド材に円滑にシフトすることができる。これにより、被梱包物の重心が中央支持材ガイド材に移った際に生じる、被梱包物の荷重のシフトによる被梱包物への衝撃を抑えることができる。
【００２０】
また、さらにより好ましい態様としては、前記受け材は、前記側壁の上部が地面に接触した状態で、前記ガイド材の端部および前記中央支持材により、前記被梱包物を支持した際に、前記キャスタに接触するようになっている。
【００２１】
この態様によれば、被梱包物を取出し方向に移動した際に、被梱包物の荷重を中央支持材からガイド材と受け材に円滑にシフトすることができる。これにより、上述したように荷重シフトにより生じる被梱包物の衝撃の発生をより確実に抑えることができる。
【００２２】
また、上述したガイド材は、被梱包物の底面を案内することができるように、一対の受け材の間に配置されているのであれば特にその位置は限定されるものではない。しかしながら、より好ましい態様としては、前記ガイド材の端部と、前記側壁の上部および下部の少なくとも一方とが、一致している。
【００２３】
この態様によれば、前記ガイド材の端部と、前記側壁の上部および下部の少なくとも一方とを一致させることにより、開梱時において、ガイド材が側壁の補強材として作用する。より好ましい態様としては、ガイド材の両端が、側壁の上部および下部と一致している。これにより、ガイド材による側壁の補強効果をより高めることができる。
【００２４】
また、ガイド材は、上述したように、開梱時および梱包時の作業を想定して設けられた部材であるが、このガイド材を被梱包物の梱包状態において利用してもよい。すなわち、好ましい態様としては、前記ガイド材は、前記梱包状態において、前記被梱包物の側面を保護するための緩衝材となっている。このように、ガイド材を緩衝材として用いることにより、梱包状態においてガイド材に対向した被梱包物の側面を保護することができる。
【００２５】
また、梱包および開梱時において、中央支持材の表面と被梱包物の底面とが、容易にスライドすることができるのであれば、これらの関係は、特に限定されるものではない。しかしながら、より好ましい態様としては、前記中央支持材の支持面には、該支持面に対して前記被梱包物の底面をスライドさせるためのスライド材が配置されている。本発明によれば、このようなスライド材を用いることにより、梱包時および開梱時における、中央支持材に対する被梱包物の移動を円滑に行うことができる。
【００２６】
さらに、このような被梱包物の底面をスライドさせるためのスライド材は、前記ガイド材の上面に配置されていてもよい。これにより、ガイド材の上面に対する被梱包物の底面の相対的な移動をより円滑に行うことができる。
【００２７】
また、中央支持材は、被梱包物の開梱時に被梱包材と共に移動しなければ、特にその形状および構造は限定されるものではない。しかしながら、より好ましい態様としては、前記梱包材は、前記被梱包物の下部側面を覆うことにより該下部側面を包装するための包装材を備えており、前記中央支持材は、前記ガイド材が配置された側壁側への中央支持材の移動が制限されるように、前記包装材に係止されている。
【００２８】
本発明によれば、包装材と、中央支持材とを、ガイド材が配置された側壁側への中央支持材の移動が制限されるように係止させることにより、開梱時において、中央支持材に対して被梱包物をスライドさせたときに、中央支持材が被梱包物とともに移動することを抑制することができる。
【００２９】
このように、上述した梱包材を用いて、中央支持材で被梱包物の底面の中央を支持し、前記被梱包物および中央支持材を収容筐体で収容することにより、被梱包物を梱包した梱包体は、受け材およびガイド材を用いることにより、容易に開梱作業を行うことができる。
【発明の効果】
【００３０】
本発明によれば、開梱時または梱包時において、被梱包物を受け材に沿って容易に導き、受け材を用いた梱包および開梱をスムーズに行うことができる。
【図面の簡単な説明】
【００３１】
【図１】本発明の実施形態に係る梱包体を分解した状態を示す模式的斜視図。
【図２】第１実施形態に係る梱包材の模式図であり、（ａ）は、梱包時の梱包材の配置状態（被梱包物を含まない状態）における梱包材の水平方向に沿った断面図、（ｂ）は、（ａ）のＡ−Ａ線矢視断面図。
【図３】本発明の第１実施形態に係る梱包体の開梱作業を説明するための模式的側面図であり、（ａ）〜（ｆ）は、第１〜第６までの一連の作業工程を説明するための図。
【図４】図１に示す実施形態の変形例を示した図であり、（ａ）は、梱包材のガイド材に係る第１の変形例、（ｂ）は、梱包材のガイド材に係る第２の変形例を示した図。
【図５】図１に示す実施形態の別の変形例を示した図であり、（ａ）は、梱包材のガイド材に係る第１の変形例を示した図、（ｂ）は、梱包材のガイド材に係る第２の変形例を示した図。
【図６】図６は、図１に示す実施形態の別の変形例を示した模式的断面図であり、（ａ）中央支持材と包装材の係止前の断面図、（ｂ）は、中央支持材と包装材を係止させたときの断面図。
【図７】図１〜６に示す実施形態に係る梱包材の受け材の変形例を示した図であり、（ａ）は、取出し方向に沿った先端を傾斜させた受け材を示した図、（ａ）チャンネル状の受け材を示した図、（ｂ）は、ガイド溝が形成された受け材を示した図。
【発明を実施するための形態】
【００３２】
以下に、図面に基づき、本発明に係る本実施形態を説明する。
図１は、本発明の実施形態に係る梱包体を分解した状態を示す模式的斜視図であり、図２は、第１実施形態に係る梱包材の模式図であり、（ａ）は、梱包時の梱包材の配置状態（被梱包物を含まない状態）における梱包材の水平方向に沿った断面図、（ｂ）は、（ａ）のＡ−Ａ線矢視断面図であり、具体的には、被梱包物を梱包した状態を説明するための鉛直方向の断面図である。
【００３３】
図１に示すように、本実施形態に係る梱包材１は、製品である被梱包物６０を梱包するものであり、被梱包物６０の底面６１の四隅には、４つキャスタ６４が取り付けられている。梱包材１は、ダンボール等からなる下側の下部筐体（以下収容筐体という）１０と、収容筐体１０を上方から被梱包物６０と共に覆うダンボール等からなる上部筐体１５とを備えている。
【００３４】
収容筐体１０のさらに下方には、パレット等の基台５０が配置されている。さらに、収容筐体１０の４つの側壁１１Ａ〜１１Ｄの下部１１ｂは、側壁の上部１１ａを外側に倒して上部１１ａが回動するように、収容筐体１０の底部１２に枢支されている。この側壁１１Ａ〜１１Ｄの上部１１ａの回動（側壁１１Ａ〜１１Ｄの枢動）により、収容筐体１０は開いた状態になる。
【００３５】
側壁１１Ａ〜１１Ｄと底部１２との枢支構造は、側壁１１Ａ〜１１Ｄと底部１２とを含む形状のプレートをこれらの境界線に沿って折り曲げた一体構造であってもよく、これらを個別に作製して、粘着テープ等を介して枢動可能に連結してもよい。このような構造にすることにより、側壁１１Ａ〜１１Ｄを収容筐体１０に対して外側に開くように枢動させて、後述する緩衝材３０のうち（下部）包装材３２Ａ，３２Ｂ，３２Ｂを収容筐体１０から容易に取り除くことができる。なお、本実施形態の特徴点の１つである側壁１１Ａについての詳細は、以下の緩衝材３０について説明した後に後述する。
【００３６】
梱包材１は、緩衝材３０をさらに備えている。緩衝材３０は、収容筐体１０および上部筐体１５の内部に収容された被梱包物６０を保護するための複数の部材からなる。具体的には、緩衝材３０は、被梱包物６０の上面および上部側面を覆うことによりこれを包装する上部包装材３１，３１と、被梱包物６０の下部側面を覆うことによりこれを包装する下部包装材３２Ａ，３２Ｂ，３２Ｂ（以下、包装材という）と、被梱包物６０の下部に配置される中央支持材４０とから構成されている。また、下部包装材は、収容方向Ｑ側に配置される包装材３２Ａと、取出し方向Ｐ側に配置される一対の包装材３２Ｂ，３２Ｂからなる。
【００３７】
緩衝材３０を構成するこれら部材の材質としては、熱可塑性樹脂の発泡成形体であることが好ましい。熱可塑性樹脂には、ポリスチレン系樹脂、ポリオレフィン系樹脂（例えばポリプロピレン系樹脂、ポリエチレン系樹脂）、ポリエステル系樹脂（例えば、ポリエチレンテレフタレート系樹脂、ポリブチレンテレフタレート系樹脂、ポリエチレンナフタレート系樹脂、またはポリ乳酸系樹脂）、またはポリカーボネート系樹脂などが挙げられ、単一の樹脂や複数の樹脂を複合したものを使用できる。
【００３８】
中央支持材４０は、上面に相当する支持面で被梱包物６０の底面６１の中央を支持する部材であり、収容筐体１０の底部１２の中央に配置されるものである。本実施形態では、中央支持材４０は、底部１２の表面に非接着で配置されているが、後述する開梱時の被梱包物６０の移動に合わせて移動する場合には、接着されていてもよい。
【００３９】
中央支持材４０の支持面には、該支持面に対して、被梱包物６０の底面６１をスライドさせるための（底面６１に対して滑り易くするための）、数ミリ程度の厚さを有したポリアセタール（ＰＯＭ）等からなる非発泡樹脂のボード（スライド材）４３が貼り合わされている。具体的には、スライド材４３の表面は、中央支持材４０の支持面よりも摩擦係数が小さくなっている。
【００４０】
各包装材３２Ａ，３２Ｂは、被梱包物６０の下部の側面と、キャスタ６４が配置された底面６１の周りを非接触で覆う部材である。図２（ａ）に示すように、包装材３２Ａには、中央支持材４０の一部と係合するための係合凹部３３が形成されており、さらに、係合凹部３３を挟んだ両側には、回動可能にキャスタ６４を収容するための収容孔３５が形成されている。
【００４１】
図２（ａ）に示すように、包装材３２Ａ，３２Ｂと中央支持材４０とを係合させたときに、包装材３２Ａ，３２Ｂと中央支持材４０により、キャスタ６４が通過するための案内通路３６が形成される。
【００４２】
また、図２（ｂ）に示すように、底部１２から、包装材３２Ａ，３２Ｂのうち係合凹部３３および収容孔３５を形成する部分までの内部の高さｈは、底部１２からスライド材４３の表面までの高さ（スライド材を設けない場合には中央支持材４０の支持面までの高さ）Ｈよりも低くなっている。これにより、中央支持材４０と包装材３２Ａ，３２Ｂを係合させたときに、中央支持材４０と包装材３２Ａ，３２Ｂの内部には、段差ｄ１が形成される。
【００４３】
さらに、包装材３２Ａ，３２Ｂの側面のうち、取出し方向Ｐ（収容方向Ｑ）に沿った方向の側面には、被梱包物６０を覆った包装材３２Ａ，３２Ａを、被梱包物６０から取り除くための側面凹部３８が形成されている。
【００４４】
上述した中央支持材４０と包装材３２Ａ，３２Ａの内部との段差、および側面凹部３８を設けることにより、被梱包物６０を中央支持材４０に載置した状態で、作業者は側面凹部３８を利用して、包装材３２Ａ，３２Ｂを容易に取り外すことができる。
【００４５】
また、上述したスライド材４３を含む中央支持材４０は、支持面に被梱包物６０を載置したときに、キャスタ６４が収容筐体１０の底部１２に接触しない高さとなっている。これにより、被梱包物６０の荷重を中央支持材４０のみで受け、キャスタ６４の車輪６４ａと収容筐体１０の底部１２との間には、上下方向に一定に隙間ｄ２が形成され、梱包状態で、キャスタ６４の車輪６４ａを非接触状態にすることができる。
【００４６】
ここで、本実施形態の特徴部分である収容筐体１０の側壁１１Ａについて以下に説明する。上述したように、収容筐体１０は、被梱包物６０、緩衝材３０（包装材３２Ａ，３２Ｂ，３２Ｂ）等を収容するための部材である。図１に示すように、収容筐体１０の側壁１１Ａは、被梱包物６０を内部から取り出す際の取出し方向Ｐに位置する側壁であり、側壁１１Ａの上部１１ａから下部１１ｂまでの長さは、他の側壁１１Ｂ〜１１Ｄのもの比べて、長くなっている。
【００４７】
そして、上述したように、側壁１１Ａは底部１２に枢支されている。より具体的には、収容筐体１０の側壁１１Ａの下部１１ｂは、側壁１１Ａの上部１１ａを下部１１ｂに向って回動させることにより、上部１１ａを地面Ｆに接触させて、側壁１１Ａの内面１１ｃが地面Ｆに対して傾斜するような長さとなっている。
【００４８】
すなわち、側壁１１Ａの上部１１ａが地面Ｆに接触した状態で、傾斜した側壁１１Ａの内面１１ｃは、収容筐体１０に収容された被梱包物６０に対して降坂面となっている。この接触状態において、地面Ｆに対する側壁１１Ａの内面１１ｃの傾斜角度θは、梱包および開梱時において、被梱包物６０に衝撃なくスムーズに搬送することができる程度の角度であることが望ましい。なお、この傾斜角度θは、側壁１１Ａの上部１１ａから下部１１ｂまでの長さと、基台５０の高さ（基台５０を用いない場合には、地面Ｆから、梱包体を配置した箇所における収容筐体１０の底部１２までの高さ）を選定することにより決定される。
【００４９】
さらに、側壁１１Ａの内面１１ｃのうち側壁１１Ａの上部１１ａから下部１１ｂに沿った位置には、側壁１１Ａの上部１１ａが地面Ｆに接触した状態で、キャスタ６４，６４を支持するための一対の板状の受け材５１，５１が並置されている。なお、梱包状態において、この受け材５１，５１を収容するために、各包装材３２Ｂ，３２Ｂの側面には収容溝３７が形成されている。
【００５０】
受け材５１は、梱包および開梱時にキャスタ６４を傷つけることなく、キャスタ６４を介して、被梱包物６０の荷重を受けることができる材質からなればよく、その材質としては、木材、樹脂材料などを挙げることができる。
【００５１】
そして、一対の受け材５１，５１の間には、側壁１１Ａの上部１１ａが地面Ｆに接触した状態で、受け材５１，５１に沿ってキャスタ６４が移動するように被梱包物６０の底面６１を案内するためのガイド材５２が配置されている。より具体的には、ガイド材５２の取出し方向Ｐ側の端部５２ｐが、側壁１１Ａの上部１１ａに一致するように、ガイド材５２は配置されている。
【００５２】
ガイド材５２は、被梱包物６０の底面６１を案内することができるのであれば、その材質は特に限定されるものではなく、本実施形態の場合には、緩衝材３０と同じ材料からなる。これにより、図２（ｂ）に示すように、被梱包物６０を梱包した状態において、ガイド材５２は、被梱包物６０の側面６３を保護するための緩衝材となる。
【００５３】
さらに、ガイド材５２の上面（被梱包物６０と接触する表面）には、中央支持材４０に配置したスライド材４３と同様に、ガイド材５２の上面に対して被梱包物６０の底面６１をスライドさせるための（底面６１に対して滑り易くするための）スライド材５３が貼り合わされている。スライド材５３は、ポリアセタール（ＰＯＭ）等の非発泡樹脂のボードであり、スライド材５３の表面は、ガイド材５２の上面よりも摩擦係数が小さくなっている。
【００５４】
なお、一対の受け材５１，５１と、ガイド材５２とは、接着剤などにより、側壁１１Ａの内面１１ｃに貼着されている。上述した中央支持材４０、受け材５１，５１、ガイド材５２の高さ（厚さ）の関係および配置関係については、以下の図３に示す梱包体の開梱作業を説明する際に、合わせて説明する。
【００５５】
図３は、上述した本発明の第１実施形態に係る梱包体の開梱作業を説明するための模式的側面図であり、（ａ）〜（ｆ）は、第１〜第６までの一連作業工程を説明するための図であり、以下に示すようにして、図２（ｂ）に示す梱包状態から梱包体１００の開梱作業を行う。
【００５６】
図３（ａ）に示すように、第１の作業工程において、梱包体１００（図２（ｂ）参照）から、上部筐体１５を上部包装材３１，３１共に上方に引き抜き、包装材３２Ｂ，３２Ｂを取り除く。
【００５７】
次に、図３（ｂ）に示すように、第２の作業工程において、収容筐体１０の側壁１１Ａの上部１１ａを外側下方に倒すように（収容筐体１０を開く（開放する）ように）、上部１１ａを回動させることにより、側壁１１Ａの上部１１ａを地面Ｆに接触させて側壁１１Ａの内面１１ｃを地面に対して傾斜角度θで傾斜させる。そして、被梱包物６０の重心が、受け材５１，５１およびガイド材５２に移るまで、中央支持材４０の支持面（正確には、スライド材４３の表面）に対して、被梱包物６０（の底面６１）を取出し方向Ｐにスライドさせる。中央支持材４０にはスライド材４３が配置されているので、中央支持材４０に対して被梱包物６０を取出し方向Ｐに容易にスライドさせることができる。
【００５８】
次に、図３（ｃ）に示すように、第３の作業工程において、被梱包物６０の重心が、受け材５１，５１およびガイド材５２に移ったことを確認しながら、被梱包物６０を受け材５１に向って、ゆっくりと移動させる。
【００５９】
このように、被梱包物６０を取出し方向Ｐに移動したときに、被梱包物６０の底面６１は、中央支持材４０からスライドして、ガイド材５２に案内される。これにより、開梱時に、被梱包物６０のキャスタ６４が一対の受け材５１，５１に移動するように、被梱包物６０を支障なく誘導することができる。
【００６０】
このとき、中央支持材４０とガイド材５２の関係は、ガイド材５２が、側壁１１Ａの上部１１ａが地面Ｆに接触した状態で、前記ガイド材５２の収容方向Ｑ側の端部５２ｑと、中央支持材４０とにより、被梱包物６０の底面６１を支持するような関係になっている。このような関係を満たすためには、中央支持材４０とガイド材５２の配置位置およびこれらの高さを調整することにより達成することができる。
【００６１】
さらに、中央支持材４０と受け材５１と、ガイド材５２との関係は、側壁１１Ａの上部１１ａが地面Ｆに接触した状態で、ガイド材５２の端部５２ｑと、中央支持材４０とにより、被梱包物６０を支持した際に、受け材５１が被梱包物６０のキャスタ６４（正確には車輪）に接触するような関係になっている。このような関係を満たすためには、中央支持材４０とガイド材５２の配置位置およびこれらの高さに加え、受け材の厚み（高さ）を調整することにより達成することができる。
【００６２】
このような関係を満たすことにより、被梱包物６０を取出し方向Ｐに移動した際に、被梱包物６０の重心を中央支持材４０から受け材５１およびガイド材５２にスムーズにシフトすることができる。これにより、被梱包物６０の重心が中央支持材４０から受け材５１およびガイド材５２に移った際に生じる、被梱包物６０への衝撃を抑えることができる。
【００６３】
次に、図３（ｄ）に示すように、第４の作業工程において、被梱包物６０のキャスタ６４，６４が、受け材５１，５１に接触したことを確認しながら、被梱包物６０を受け材５１に沿って、ゆっくりと移動させる。
【００６４】
続いて、図３（ｅ）に示すように、第５の作業工程において、被梱包物６０のすべてのキャスタ６４，６４が、受け材５１，５１に接触した状態で、被梱包物６０を受け材５１に沿って、ゆっくりと、さらに移動させる。このとき、受け材５１とガイド材５２，５２の関係は、図３（ｃ）において説明した関係を満たしつつ、受け材５１とガイド材５２，５２に、被梱包物６０の荷重が支持されるような関係となっている。
【００６５】
ここで、ガイド材５２の表面には、スライド材５３が配置されているので、ガイド材５２に対して被梱包物６０を取出し方向Ｐに容易にスライドさせることができる。また、被梱包物６０の底面６１には、ガイド材５２が接触しており、ガイド材５２は、底面６１を受け材５１に沿った方向（取出し方向Ｐ）に被梱包物６０を案内するので、被梱包物６０の移動時に、キャスタ６４が受け材５１から脱輪することはない。
【００６６】
また、ガイド材５２の取出し方向Ｐ側の端部５２ｐが、側壁１１Ａの上部１１ａに一致するように、ガイド材５２は配置されているので、被梱包物６０の荷重の一部をガイド材５２が受けたとしても、ガイド材５２の端部５２ｐを介してその荷重を地面Ｆで支えることができる。
【００６７】
そして、図３（ｆ）に示すように、キャスタ６４が地面Ｆに移動するまで、被梱包物６０を取出し方向Ｐに沿って移動させる。このような一連の作業工程を経て、図２（ｂ）に示す梱包体１００の開梱を完了させる。
【００６８】
ここでは、図３（ａ）〜（ｆ）を用いた梱包体の開梱作業を示したが、被梱包物６０の梱包作業は、この逆の手順を行えばよい。梱包時には、ガイド材５２により、収容筐体１０に向う被梱包物６０の底面６１が受け材５１，５１に沿った方向（収容方向Ｑ）に案内されるので、被梱包物６０のキャスタ６４，６４の車輪が脱輪することなくキャスタ６４を受け材５１に受けさせて、被梱包物６０を収容筐体１０の内部に移動させることができる。
【００６９】
図４は、図１に示す実施形態の変形例を示した図であり、（ａ）は、梱包材のガイド材に係る第１の変形例、（ｂ）は、梱包材のガイド材に係る第２の変形例を示した図である。図５は、図１に示す実施形態の別の変形例を示した図であり、（ａ）は、梱包材のガイド材に係る第１の変形例を示した図、（ｂ）は、梱包材のガイド材に係る第２の変形例を示した図である。
【００７０】
図４および図５に示す梱包材が、図１に示す梱包材と相違する点は、ガイド材の位置、大きさ、および形状であるので、以下にこの相違点を説明し、同じ機能を有する部材は、同じ符号を付してその詳細な説明は省略する。
【００７１】
図４（ａ）に示すように、第１の変形例では、ガイド材５２Ａは、ガイド材５２Ａの両端部５２ｐ，５２ｑが、側壁１１Ａの上部１１ａおよび下部１１ｂに一致するように、側壁１１Ａの内面１１ｃに配置されている。このようなガイド材５２Ａを設けることにより、ガイド材５２Ａに作用する被梱包物６０の荷重を、ガイド材５２Ａの両端部５２ｐ，５２ｑを介して、基台５０および地面Ｆで支えることができる。
【００７２】
しかしながら、側壁１１Ａが、被梱包物６０の荷重を受けるに充分な強度を有している場合には、被梱包物６０の荷重を、側壁１１Ａの上部１１ａおよび下部１１ｂを介して、基台５０および地面Ｆで支えることができる。このような場合には、図４（ｂ）に示すように、ガイド材５２Ｂの両端部５２ｐ，５２ｑが、側壁１１Ａの上部１１ａおよび下部１１ｂのいずれにも、一致していなくてもよい。
【００７３】
さらに、図５（ａ）に示すように、取出し方向Ｐに対して交差する方向（ここでは垂直方向）に、分割されたガイド材５２Ｃを側壁１１Ａの内面１１ｃに配置してもよく、図５（ｂ）に示すように、取出し方向Ｐに沿って（ここでは平行方向）に、分割されたガイド材５２Ｄを側壁１１Ａの内面１１ｃに配置してもよい。
【００７４】
図６は、図１に示す実施形態の別の変形例を示した模式的断面図であり、（ａ）中央支持材と包装材の係止前の断面図、（ｂ）は、中央支持材と包装材を係止させたときの断面図である。図６に示す梱包材が、図１に示す梱包材と相違する点は、中央支持材と包装材の構造であるので、以下にこの相違点を説明し、その他の構成に関してはその詳細な説明を省略する。
【００７５】
図６（ａ），（ｂ）に示すように、本変形例において、中央支持材４０Ａは、取出し方向Ｐへの（ガイド材が配置された側壁側への）中央支持材４０Ａの移動が制限されるように、収容方向Ｑ側の包装材３２Ｃに係止されている。
【００７６】
具体的には、中央支持材４０Ａの底面４０ａの一端側には、包装材３２Ｃに係止するための係止部４０ｂが形成されており、包装材３２Ｃの内側の上面３２ａには、この係止凹部４０ｂに係合するための係止部３２ｂが形成されている。そして、この係止部４０ｂに形成された凹部４０ｃに、係止部３２ｂの凹部３２ｃを形成するためのエッジ部３２ｄが係合すると共に、係止部３２ｂに形成された凹部３２ｃに、係止部４０ｂの凹部４０ｃを形成するためのエッジ部４２ｄが係合する。
【００７７】
このようにして、包装材３２Ｃおよび中央支持材４０Ａを、取出し方向Ｐへの中央支持材４０Ａの移動が制限されるように係止させることにより、開梱時において、中央支持材４０Ａに対して被梱包物６０をスライドしたときに、中央支持材４０Ａが被梱包物６０と共に移動することを抑制することができる。
【００７８】
図７は、図１〜６に示す実施形態に係る梱包材の受け材の変形例を示した図であり、（ａ）は、取出し方向に沿った先端を傾斜させた受け材を示した図、（ａ）チャンネル状の受け材を示した図、（ｂ）は、ガイド溝が形成された受け材を示した図である。
【００７９】
上述した実施形態に係る受け材５１は、平板状の受け材であったが、図７（ａ）に示すように、受け材５１Ａは、取出し方向Ｐに沿った先端が傾斜面５１ａとなっている。このような傾斜面５１ａを設けることにより、梱包および開梱時において地面と受け材５１Ａとの間のキャスタ６４の移動時に生じる被梱包物６０への衝撃を抑制することができる。
【００８０】
また、図７（ｂ）に示すように、受け材５１Ｂは、チャンネル状の受け材であり、取出し方向Ｐに沿って回転するキャスタを案内するためのリブ（ガイド）５１ｂを、取出し方向Ｐに沿った表面５１ｃの両側に形成してもよい。また、図７（ｃ）に示すように、受け材５１Ｃの表面に取出し方向Ｐに沿って回転するキャスタを案内するためのガイド溝（ガイド）５１ｄを形成してもよい。
【００８１】
このような受け材５１Ｂ，５１Ｃを用いることにより、ガイド材と共に、キャスタの車輪を取出し方向Ｐに沿って案内するので、キャスタの車輪の脱輪をより確実に防止し、容易かつ安全に被梱包物を移動させることができる。
【００８２】
以上、本発明の実施の形態を図面を用いて詳述してきたが、具体的な構成はこの実施形態に限定されるものではなく、本発明の要旨を逸脱しない範囲における設計変更があっても、それらは本発明に含まれるものである。
【００８３】
本実施形態では、梱包および開梱時には、ガイド材が、被梱包物の底面に接触していたが、ガイド材が被梱包物の底面を案内することができるのであれば、ガイド材が被梱包物の底面に接触していなくてもよい。また、ガイド材により被梱包物の底面を案内させるために、被梱包物の底面に案内用の取出し方向に沿って凹部を設けてもよい。
【００８４】
また、本実施形態では、ガイド材は、ガイド材の端部と、中央支持材とにより、被梱包物の底面を支持するような関係になっていたが、中央支持材とガイド材との間において被梱包物の重心の移動が円滑に行うことができるのであれば、特にこのような関係を満たさなくてもよい。
【００８５】
また、本実施形態では、中央支持材の支持面（上面）およびガイド材の上面に、スライド材を設けたが、これらの表面の上において被梱包物の底面を容易にスライドさせることができるのであれば、いずれか一方にスライド材を配置する、または、いずれにもスライド材を配置しなくてもよい。
【００８６】
また、本実施形態では、収容筐体の底部の下に基台を配置したが、梱包および開梱作業時に、収容筐体の底面を地面よりも高い位置に配置し、側壁の内面を所定の傾斜角度で傾斜させることができるのであれば、基台は、梱包材の一部に含まれなくてもよい。
【符号の説明】
【００８７】
１：梱包材、１０：下部筐体（収容筐体）、１１Ａ〜１１Ｄ：側壁、１１ａ：上部、１１ｂ：下部、１２：底部、１５：上部筐体、３０：緩衝材、３１：上部包装材、３２Ａ，３２Ｂ，３２Ｃ：包装材（下部包装材）、３２ａ：上面、３２ｂ：係止部、３２ｃ：凹部、３２ｄ：エッジ部、３３：係合凹部、３５収容孔、３６：案内通路、３７：収容溝、３８：側面凹部、４０，４０Ａ：中央支持材、４０ａ：底面、４０ｂ：係止部、４０ｃ：凹部、４２ｄ：エッジ部、４３：スライド材、５０：基台、５１，５１Ａ〜５１Ｃ：受け材、５１ａ：傾斜面、５１ｂ：リブ、５１ｃ：表面、５１ｄ：ガイド溝、５２，５２Ａ〜５２Ｄ：ガイド材、５２ｐ，５２ｑ：端部、５３：スライド材、１００：梱包体、Ｆ：地面、Ｐ：取出し方向、Ｑ：収容方向、θ：傾斜角度、６０：被梱包物、６１：底面、６３：側面、６４：キャスタ、６４ａ：車輪
【図１】
2012171640.tif 000003
【図２】
2012171640.tif 000004
【図３】
2012171640.tif 000005
【図４】
2012171640.tif 000006
【図５】
2012171640.tif 000007
【図６】
2012171640.tif 000008
【図７】
2012171640.tif 000009